(57)【要約】【課題】ネジ部材締結が不要となってコンパクトで安価なコネクタの一括シールド構造を提供する。【解決手段】グランドに電気的に接続される筐体１１と、オス端子４９を収容する装置側コネクタハウジング３７と、電線シールド６３によって電磁シールドされた電線６１の端部に接続されたメス端子を収容して装置側コネクタハウジング３７と嵌合接続されるハーネス側コネクタハウジング５３と、ハーネス側コネクタハウジング５３の少なくとも一部分を覆って電線シールド６３に接続される導電性のハーネス側コネクタシェル１７と、装置側コネクタハウジング３７に設けられて筐体１１に接触してグランドに電気的に接続される導電性の装置側コネクタシェル１９と、ハーネス側コネクタシェル１７と装置側コネクタシェル１９を着脱自在に係止するためのロック係止機構と、を備える。【選択図】図１
2015035383.tif 000002
【特許請求の範囲】
【請求項１】
グランドに電気的に接続される筐体と、
前記筐体に固定されて相手側端子を収容する装置側コネクタハウジングと、
電線シールドによって電磁シールドされた電線の端部に接続された端子を収容して前記装置側コネクタハウジングと嵌合接続されるハーネス側コネクタハウジングと、
前記ハーネス側コネクタハウジングの少なくとも一部分を覆って前記電線シールドに接続される導電性のハーネス側コネクタシェルと、
前記装置側コネクタハウジングに設けられて前記筐体に接触して前記グランドに電気的に接続される導電性の装置側コネクタシェルと、
前記ハーネス側コネクタシェルと前記装置側コネクタシェルを着脱自在に係止するためのロック係止機構と、
を備えることを特徴とするコネクタの一括シールド構造。
【請求項２】
請求項１に記載のコネクタの一括シールド構造であって、
前記装置側コネクタシェルが、前記ハーネス側コネクタシェルを包囲する筒状部と、前記筒状部から外方へ突設されて前記装置側コネクタハウジングと前記筐体の固定部間に挟まれる鍔部と、を備えることを特徴とするコネクタの一括シールド構造。
【請求項３】
請求項２に記載のコネクタの一括シールド構造であって、
前記筒状部の内方には、複数の前記ハーネス側コネクタハウジングが配置されることを特徴とするコネクタの一括シールド構造。
【請求項４】
請求項２又は３に記載のコネクタの一括シールド構造であって、
前記ロック係止機構が、前記ハーネス側コネクタシェルに対応して前記筒状部に穿設される係止孔と、前記ハーネス側コネクタシェルに一体成形されて前記係止孔に係止される弾性係止片と、を有することを特徴とするコネクタの一括シールド構造。
【発明の詳細な説明】
【技術分野】
【０００１】
本発明は、コネクタの一括シールド構造に関する。
【背景技術】
【０００２】
装置側コネクタに対してハーネス側コネクタを接続するコネクタ構造において、電磁シールドを必要とするものがある。
図８（ａ）に示すように、例えば特許文献１に開示されているインバータユニット側コネクタ（装置側コネクタ）５０１は、樹脂モールドハウジング５０３、導電性ボディ５０５、及び導電性ボディ５０５を挟み込むように装着される導電性カバー５０７を備えている。このインバータユニット側コネクタ５０１は、図示しないインバータユニットに直付けされている。インバータユニット側コネクタ５０１には、ワイヤハーネス側シールドコネクタ（ハーネス側コネクタ）５０９が嵌合される。
図８（ｂ）に示すように、ワイヤハーネス側シールドコネクタ５０９は、シールド機能を有するアウタケース５１１と、接続端子（図示略）を収容するハウジング５１３と、シールドシェル５１５と、シールドシェル５１５にネジ部材５１７の螺合により固定されるシェルホルダ５１９とから構成されている。
【０００３】
ワイヤハーネス側シールドコネクタ５０９は、インバータユニット側コネクタ５０１と嵌合接続された状態で、アウタケース５１１のシールドシェル接触面５２１が、インバータユニット側コネクタ５０１の導電性ボディ接触面５２３に突き当てられ、図示しない取付ボルトによりボルト締結されることにより、シールド接続が行われる。シールドシェル５１５の後端部からは、複数本のシールド電線５２５が導出されている。外周側に折り返されたシールド電線５２５の編組の外周には、シールドターミナル５２７が、編組と導通状態で加締めにより固定される。それぞれのシールド電線５２５に固定されたシールドターミナル５２７は、シールドシェル５１５にシェルホルダ５１９がネジ部材５１７の螺合により固定された状態で、表面がシールドシェル５１５とシェルホルダ５１９の内面に同時に挟まれる。それぞれのシールド電線５２５は、螺合されるネジ部材５１７の軸力により、シールドターミナル５２７がシールドシェル５１５に導通される。即ち、それぞれのシールド電線５２５がシールドシェル５１５に一括してアースされたワイヤハーネス側シールドコネクタ５０９は、インバータユニット側コネクタ５０１に嵌合接続され、ボルト締結されることで、インバータユニット側コネクタ５０１に対して一括シールド接続される。
【先行技術文献】
【特許文献】
【０００４】
【特許文献１】特開２００７−１１５４２８号公報
【発明の概要】
【発明が解決しようとする課題】
【０００５】
しかしながら、上述したワイヤハーネス側シールドコネクタ５０９の一括シールド構造では、シールドシェル５１５にホルダ固定部５２９が形成され、ネジ部材５１７を用いてシェルホルダ５１９がホルダ固定部５２９に螺着され、シールドターミナル５２７を介して、複数のシールド電線５２５がシールドシェル５１５に一括してアースされる。このため、ホルダ固定部５２９、ネジ部材５１７、シェルホルダ５１９を設けるスペースをワイヤハーネス側シールドコネクタ５０９に確保する必要があった。また、ワイヤハーネス側シールドコネクタ５０９をインバータユニット側コネクタ５０１と嵌合接続した状態でボルト締結しなければならず、ボルト締結の為の作業スペースが必要となる。その結果、シールド構造が大型化するという問題があった。
更に、シェルホルダ５１９をシールドシェル５１５に固定するネジ部材５１７や、ワイヤハーネス側シールドコネクタ５０９をインバータユニット側コネクタ５０１にボルト締結する取付ボルトを螺合する為の締結作業工数が必要となり、コストアップを招くという問題があった。そして、これら問題点は、インバータユニット側コネクタ５０１に嵌合接続されるワイヤハーネス側シールドコネクタ５０９の数が増えるほど顕著となる。
【０００６】
本発明は上記状況に鑑みてなされたもので、その目的は、ネジ部材締結が不要となって、コンパクトで安価なコネクタの一括シールド構造を提供することにある。
【課題を解決するための手段】
【０００７】
本発明に係る上記目的は、下記構成により達成される。
（１）  グランドに電気的に接続される筐体と、前記筐体に固定されて相手側端子を収容する装置側コネクタハウジングと、電線シールドによって電磁シールドされた電線の端部に接続された端子を収容して前記装置側コネクタハウジングと嵌合接続されるハーネス側コネクタハウジングと、前記ハーネス側コネクタハウジングの少なくとも一部分を覆って前記電線シールドに接続される導電性のハーネス側コネクタシェルと、前記装置側コネクタハウジングに設けられて前記筐体に接触して前記グランドに電気的に接続される導電性の装置側コネクタシェルと、前記ハーネス側コネクタシェルと前記装置側コネクタシェルを着脱自在に係止するためのロック係止機構と、を備えることを特徴とするコネクタの一括シールド構造。
【０００８】
上記（１）の構成のコネクタの一括シールド構造によれば、装置側コネクタハウジングが固定される筐体には、接地回路であるグランドが接続される。装置側コネクタハウジングに嵌合接続されるハーネス側コネクタハウジングは、ハーネス側コネクタシェルによって覆われている。電線を覆って電磁シールドする電線シールドは、ハーネス側コネクタシェルに接続される。ハーネス側コネクタハウジングは、装置側コネクタハウジングに結合されると、ハーネス側コネクタシェルと装置側コネクタシェルとがロック係止機構により係止される。即ち、ハーネス側コネクタシェルと装置側コネクタシェルが導通接続される。これにより、電線シールドは、ハーネス側コネクタシェル及び装置側コネクタシェルを介して筐体のグランドに電気的に接続される。このように、ハーネス側コネクタシェルが装置側コネクタシェルにロック係止されて導通接続されることによって、装置側コネクタとハーネス側コネクタとをコンパクトにシールド接続することができ、ネジ部材締結が不要となる。
【０００９】
（２）  上記（１）の構成のコネクタの一括シールド構造であって、前記装置側コネクタシェルが、前記ハーネス側コネクタシェルを包囲する筒状部と、前記筒状部から外方へ突設されて前記装置側コネクタハウジングと前記筐体の固定部間に挟まれる鍔部と、を備えることを特徴とするコネクタの一括シールド構造。
【００１０】
上記（２）の構成のコネクタの一括シールド構造によれば、装置側コネクタハウジングが筐体に固定される際、装置側コネクタシェルの鍔部が双方の固定部間に挟まれることにより、装置側コネクタシェルは筐体を介してグランドに電気的に接続される。そして、装置側コネクタシェルの筒状部は、内方に配置されたハーネス側コネクタハウジングにおける装置側コネクタハウジングとの結合部を確実に電磁シールドすることができる。
【００１１】
（３）  上記（２）の構成のコネクタの一括シールド構造であって、前記筒状部の内方には、複数の前記ハーネス側コネクタハウジングが配置されることを特徴とするコネクタの一括シールド構造。
【００１２】
上記（３）の構成のコネクタの一括シールド構造によれば、筒状部は、内方に配置される複数のハーネス側コネクタハウジングと装置側コネクタハウジングとの結合部を一括して電磁シールドすることができる。
【００１３】
（４）  上記（２）又は（３）の構成のコネクタの一括シールド構造であって、前記ロック係止機構が、前記ハーネス側コネクタシェルに対応して前記筒状部に穿設される係止孔と、前記ハーネス側コネクタシェルに一体成形されて前記係止孔に係止される弾性係止片と、を有することを特徴とするコネクタの一括シールド構造。
【００１４】
上記（４）の構成のコネクタの一括シールド構造によれば、ハーネス側コネクタシェルを着脱自在に係止するために装置側コネクタシェルに設けられるロック係止機構が、筒状部に穿設される係止孔と、ハーネス側コネクタシェルに一体成形された弾性係止片とで構成される。そこで、ロック係止機構を簡単な構造で構成することができる。特に、それぞれのハーネス側コネクタシェルに一体成形された弾性係止片に対応する複数の係止孔を筒状部に穿設するという簡単な構造で、装置側コネクタシェルは複数のハーネス側コネクタシェルを着脱自在に係止することができる。
【発明の効果】
【００１５】
本発明に係るコネクタの一括シールド構造によれば、ネジ部材締結が不要となってコンパクトで安価になる。
【００１６】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１７】
【図１】本発明の一実施形態に係るコネクタの一括シールド構造を備えた装置側コネクタとハーネス側コネクタが結合される前の状態を筐体を切欠いて示す斜視図である。
【図２】（ａ）は図１に示した装置側コネクタとハーネス側コネクタが結合された状態を示す斜視図、（ｂ）は（ａ）を装置側コネクタ側から見た斜視図である。
【図３】（ａ）は図１に示した装置側コネクタの斜視図、（ｂ）は（ａ）に取り付けられている装置側コネクタシェルの斜視図である。
【図４】（ａ）は図１に示したハーネス側コネクタの側面図、（ｂ）は（ａ）の正面図、（ｃ）は（ｂ）の平面図である。
【図５】結合前の装置側コネクタとハーネス側コネクタの縦断面図である。
【図６】結合後の装置側コネクタとハーネス側コネクタの縦断面図である。
【図７】図６の要部拡大図である。
【図８】（ａ）は従来のシールドコネクタ構造を示す平面図、（ｂ）は（ａ）に示すワイヤハーネス側シールドコネクタの分解斜視図である。
【発明を実施するための形態】
【００１８】
以下、本発明に係る実施形態を図面を参照して説明する。
図１に示すように、本発明の一実施形態に係るコネクタの一括シールド構造は、例えば、筐体１１に固定された装置側コネクタ１３と、装置側コネクタ１３に嵌合接続されるハーネス側コネクタ１５とのコネクタ接続部に好適に使用される。
【００１９】
図１及び図２に示すように、導電性金属で形成された筐体１１には、ボルト２１が螺合される一対のネジ固定部２３が形成される。一対のネジ固定部２３は、筐体１１の底壁２５から離間して起立した一対の平行な側壁２７に設けられている。一対の側壁２７は、装置側コネクタ１３の取り付け側が固定壁２９によって連結されている。固定壁２９には、装置側コネクタ１３のコネクタ結合部３１が挿入される結合部挿入穴３３が穿設されている。筐体１１は、例えばインバータユニットのケースであり、インバータユニットには、接地回路が設けられている。筐体１１は、この接地回路であるグランドに接続されたシールドケースとなっている。
【００２０】
筐体１１内には、一対の側壁２７の間に、ハーネス側コネクタ１５の装着用空間３５が構成されている。本実施形態では、筐体１１内に配索された電線６１に一端に接続された２つのハーネス側コネクタ１５が、装置側コネクタ１３に結合される。装置側コネクタ１３と２つのハーネス側コネクタ１５とは、それぞれ後述するロック係止機構によってロック係止される。
【００２１】
筐体１１に固定される装置側コネクタ１３は、図３に示すように、絶縁性の合成樹脂で形成されてオス端子（相手側端子）４９を収容する装置側コネクタハウジング３７と、装置側コネクタハウジング３７に設けられた導電性の装置側コネクタシェル１９とを有する。
装置側コネクタハウジング３７は、直方体形状の箱状に形成され、筐体１１の外側に向けて、ハーネス側コネクタ１５とは異なるコネクタ（図示略）と結合される嵌合開口部３９（図２（ｂ）参照）が開口されている。装置側コネクタハウジング３７の両側部には、フランジ部４１が一体に形成されている。フランジ部４１には、図３（ａ）に示すように、ボルト２１が挿通される一対のボルト挿通穴４３がそれぞれ穿設される。装置側コネクタハウジング３７は、このボルト挿通穴４３に挿通されたボルト２１が、筐体１１のネジ固定部２３に螺合されることで、筐体１１の外側に固定される。
【００２２】
フランジ部４１の一対のボルト挿通穴４３の間には、略矩形筒状のコネクタ結合部３１が突設されている。コネクタ結合部３１には、上下に長い長穴となる左右一対のハーネス側コネクタ結合穴４５が凹設される。更に、ハーネス側コネクタ結合穴４５の上下には、外周側に開放する係止片進入溝４７が形成されている。このフランジ部４１とコネクタ結合部３１には、装置側コネクタシェル１９がインサート成形されている。そして、係止片進入溝４７の外周は、装置側コネクタシェル１９の筒状部７５によって塞がれる。
【００２３】
図５に示すように、装置側コネクタハウジング３７には、複数の棒状のオス端子４９がインサート成形等によって収容されている。オス端子４９は、一端が嵌合開口部３９に突出され、他端がハーネス側コネクタ結合穴４５に突出されている。これにより、筐体１１の外側から結合されるハーネス側コネクタ１５とは異なるコネクタと、筐体１１の内側から結合されるハーネス側コネクタ１５とが、導通接続される。なお、装置側コネクタハウジング３７の上下面には、一対の軸部５１が突設されている。これら軸部５１は、低挿入力機構に備えられるレバー（図示せず）の係合軸部となる。
【００２４】
ハーネス側コネクタ１５は、図４に示すように、絶縁性の合成樹脂で形成されてメス端子５９を収容して装置側コネクタハウジング３７と嵌合接続されるハーネス側コネクタハウジング５３と、ハーネス側コネクタハウジング５３の少なくとも一部分を覆う導電性のハーネス側コネクタシェル１７とを有する。
ハーネス側コネクタハウジング５３は、直方体形状に形成され、一端にオス端子４９の進入する複数のオス端子受入孔５５が開口されている。ハーネス側コネクタハウジング５３の他端には、筒状の電線導出部５７（図５参照）が突設される。ハーネス側コネクタハウジング５３の内方には、複数のメス端子５９（図７参照）が収容されている。それぞれのメス端子５９には、束ねられることで電線６１を構成している複数の芯線（図示略）が接続されている。電線６１は、電線導出部５７の内方を通じて外方に導出される。
【００２５】
電線６１は、複数の芯線を束ねた外周が、絶縁性の外被によって被覆されている。電線６１は、この外被の外側が電線シールド６３によって覆われることで、電磁シールドされている。電線シールド６３としては、例えば金属箔や金属線を編んだ編組を用いることができる。即ち、ハーネス側コネクタ１５には、電線シールド６３によって電磁シールドされた電線６１が接続される。
【００２６】
ハーネス側コネクタシェル１７は、ハーネス側コネクタハウジング５３の少なくとも一部分（本実施形態においては、ハーネス側コネクタハウジング５３の図中上下面及び背面）を覆い電線シールド６３に接続されている。ハーネス側コネクタシェル１７は、例えば導電性を有する金属板をプレス成形することで、ハーネス側コネクタハウジング５３の外側面に倣って覆う略Ｕ字状に形成されている。ハーネス側コネクタシェル１７は、ハーネス側コネクタハウジング５３のオス端子受入孔５５が開口する側が開放され、開放端と反対側には、電線導出部５７の外周に嵌合するシールド接触筒６５が形成される。シールド接触筒６５の外側には、電線シールド６３が被せられる。シールド接触筒６５の外側に被せられた電線シールド６３の外側には、更に加締めリング６７が加締め付けられる。これにより、電線シールド６３は、電線導出部５７と加締めリング６７とによって、ハーネス側コネクタシェル１７のシールド接触筒６５に加締め付けられて固定される。
【００２７】
ハーネス側コネクタシェル１７の一対の開放自由端は、Ｕ字状に曲げられて外側に突出する弾性係止片６９が一体形成されている。更に、弾性係止片６９には、外側に突出する係止爪７１が切り起こし加工等に形成されている。弾性係止片６９は、装置側コネクタシェル１９の後述する係止孔７７に、係止爪７１が係止及び係止解除可能となってロック係止機構を構成する。
【００２８】
装置側コネクタシェル１９は、図３（ｂ）に示すように、導電性を有する金属板をプレス成形することで形成され、ハーネス側コネクタシェル１７を包囲する筒状部７５と、筒状部７５から半径方向外方へ突設されて装置側コネクタハウジング３７のフランジ部４１と筐体１１の外側面との固定部間に挟まれる鍔部７３と、を備える。装置側コネクタハウジング３７にインサート成形された装置側コネクタシェル１９は、鍔部７３がフランジ部４１の筐体１１側に露出することで、筐体１１に接触してグランドに導通接続される。
【００２９】
装置側コネクタシェル１９の鍔部７３は、装置側コネクタハウジング３７のフランジ部４１と略同形状の外形状を有して形成される。また、この鍔部７３にも、一対のボルト挿通穴４３が左右両側に穿設される。即ち、ボルト２１は、フランジ部４１と鍔部７３のボルト挿通穴４３を貫通して筐体１１に締結固定される。
装置側コネクタハウジング３７にインサート成形された装置側コネクタシェル１９の筒状部７５は、装置側コネクタハウジング３７のコネクタ結合部３１の内周に露出される。即ち、筒状部７５は、ハーネス側コネクタ１５が装置側コネクタ１３に嵌合接続された際、ハーネス側コネクタシェル１７を内方に包囲する。
【００３０】
装置側コネクタシェル１９の筒状部７５には、それぞれのハーネス側コネクタシェル１７に対応して係止孔７７が穿設される。係止孔７７は、それぞれのハーネス側コネクタシェル１７における弾性係止片６９の係止爪７１に対応して配置されている。ハーネス側コネクタハウジング５３にハーネス側コネクタシェル１７が取り付けられたハーネス側コネクタ１５は、装置側コネクタハウジング３７のハーネス側コネクタ結合穴４５に挿入される。すると、ハーネス側コネクタシェル１７の弾性係止片６９が内側に弾性変形しながら係止片進入溝４７に進入する。係止片進入溝４７の外側には、装置側コネクタシェル１９における筒状部７５の係止孔７７が配置されている。従って、ハーネス側コネクタ１５が正規位置まで挿入されると、弾性係止片６９が外側に弾性復帰して、係止爪７１が係止孔７７に係止される（図７参照）。これにより、ハーネス側コネクタシェル１７が装置側コネクタシェル１９に対して着脱自在に係止される。そこで、ハーネス側コネクタ１５は、装置側コネクタ１３からの結合解除が規制され、離脱不能にロック係止される。即ち、装置側コネクタハウジング３７とハーネス側コネクタ１５とは、オス端子４９とメス端子５９との接触抵抗と、装置側コネクタシェル１９とハーネス側コネクタシェル１７との係止力とによって離脱不能にロック係止することができ、従来のコネクタハウジングにおけるロック構造が不要となる。
【００３１】
次に、上記構成を有するハーネス側コネクタ１５と装置側コネクタ１３とのコネクタ接続部に適用したコネクタの一括シールド構造の作用を説明する。
上述した本実施形態に係るコネクタの一括シールド構造では、装置側コネクタ１３の装置側コネクタハウジング３７が固定される筐体１１には、インバータユニットの接地回路であるグランドが接続される。
図５に示すように、装置側コネクタ１３の装置側コネクタハウジング３７には、装置側コネクタシェル１９がインサート成形されている。装置側コネクタ１３に設けられた装置側コネクタシェル１９は、図６に示すように、装置側コネクタ１３が筐体１１に固定されると、筐体１１の外側面と装置側コネクタ１３のフランジ部４１との間で鍔部７３が挟持されて接触し、筐体１１のグランドに電気的に接続される。
【００３２】
装置側コネクタ１３には、電線６１の一端に取り付けられた２つのハーネス側コネクタ１５が接続される。ここで、装置側コネクタ１３の装置側コネクタハウジング３７は、２つのハーネス側コネクタ１５が接続されるコネクタ結合部３１（図３参照）を有する。ハーネス側コネクタ１５のハーネス側コネクタハウジング５３は、ハーネス側コネクタシェル１７によって上下面及び背面が覆われている。電線６１は、電線シールド６３によって覆われている。電線シールド６３は、ハーネス側コネクタ１５を覆うハーネス側コネクタシェル１７の電線導出部５７に加締めリング６７によって加締め固定される。
【００３３】
ハーネス側コネクタ１５は、装置側コネクタ１３に結合されると、ハーネス側コネクタハウジング５３に収容されたメス端子５９が、装置側コネクタハウジング３７に収容されたオス端子４９の装置側コネクタ端子部７９に接続される。同時に、ハーネス側コネクタシェル１７と装置側コネクタシェル１９とがロック係止機構により係止される。即ち、ハーネス側コネクタシェル１７と装置側コネクタシェル１９が導通接続される。これにより、電線シールド６３は、ハーネス側コネクタシェル１７及び装置側コネクタシェル１９を介して筐体１１のグランドに電気的に接続されることになる。
【００３４】
このように、ハーネス側コネクタシェル１７が装置側コネクタシェル１９にロック係止されて導通接続されることによって、装置側コネクタ１３と２つのハーネス側コネクタ１５とをコンパクトにシールド接続することができ、ネジ部材締結が不要となる。
装置側コネクタシェル１９やハーネス側コネクタシェル１７は、装置側コネクタハウジング３７やハーネス側コネクタハウジング５３の外殻として形成できるので、板厚分の僅かなスペースしか必要としない。
【００３５】
また、本実施形態のコネクタの一括シールド構造によれば、装置側コネクタ１３の装置側コネクタハウジング３７が筐体１１に固定される際、装置側コネクタシェル１９の鍔部７３が双方の固定部間に挟まれることにより、装置側コネクタシェル１９は筐体１１を介してグランドに電気的に接続される。そして、装置側コネクタシェル１９の筒状部７５は、内方に配置されたハーネス側コネクタハウジング５３における装置側コネクタハウジング３７との結合部（メス端子５９とオス端子４９の接続部）を確実に電磁シールドすることができる。
【００３６】
更に、本実施形態のコネクタの一括シールド構造によれば、ハーネス側コネクタ１５におけるハーネス側コネクタシェル１７を着脱自在に係止するために装置側コネクタシェル１９に設けられるロック係止機構が、筒状部７５に穿設される係止孔７７と、ハーネス側コネクタシェル１７に一体成形された弾性係止片６９とで構成される。そこで、ロック係止機構を簡単な構造で構成することができる。特に、それぞれのハーネス側コネクタシェル１７に一体成形された弾性係止片６９に対応する複数の係止孔７７を筒状部７５に穿設するという簡単な構造で、装置側コネクタシェル１９は複数（本実施形態では２つ）のハーネス側コネクタシェル１７を着脱自在に係止することができる。
【００３７】
ここで、上述した本発明に係るコネクタの一括シールド構造の実施形態の特徴をそれぞれ以下に簡潔に纏めて列記する。
［１］  グランドに電気的に接続される筐体１１と、前記筐体１１に固定されて相手側端子（オス端子）４９を収容する装置側コネクタハウジング３７と、電線シールド６３によって電磁シールドされた電線６１の端部に接続された端子（メス端子）５９を収容して前記装置側コネクタハウジング３７と嵌合接続されるハーネス側コネクタハウジング５３と、前記ハーネス側コネクタハウジング５３の少なくとも一部分を覆って前記電線シールド６３に接続される導電性のハーネス側コネクタシェル１７と、前記装置側コネクタハウジング３７に設けられて前記筐体１１に接触して前記グランドに電気的に接続される導電性の装置側コネクタシェル１９と、前記ハーネス側コネクタシェル１７と前記装置側コネクタシェル１９を着脱自在に係止するためのロック係止機構（係止孔及び弾性係止片）７７，６９と、を備えることを特徴とするコネクタの一括シールド構造。
［２］  上記［１］の構成のコネクタの一括シールド構造であって、前記装置側コネクタシェル１９が、前記ハーネス側コネクタシェル１７を包囲する筒状部７５と、前記筒状部７５から外方へ突設されて前記装置側コネクタハウジング３７と前記筐体１１の固定部間に挟まれる鍔部７３と、を備えることを特徴とするコネクタの一括シールド構造。
［３］  上記［２］の構成のコネクタの一括シールド構造であって、前記筒状部７５の内方には、複数の前記ハーネス側コネクタハウジング５３が配置されることを特徴とするコネクタの一括シールド構造。
［４］  上記［２］又は［３］の構成のコネクタの一括シールド構造であって、前記ロック係止機構が、前記ハーネス側コネクタシェル１７に対応して前記筒状部７５に穿設される係止孔７７と、前記ハーネス側コネクタシェル１７に一体成形されて前記係止孔７７に係止される弾性係止片６９と、を有することを特徴とするコネクタの一括シールド構造。
【００３８】
従って、本実施形態に係るコネクタの一括シールド構造によれば、ネジ部材締結が不要となってコンパクトで安価になる。
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００３９】
１１…筐体
１３…装置側コネクタ
１５…ハーネス側コネクタ
１７…ハーネス側コネクタシェル
１９…装置側コネクタシェル
４９…オス端子（相手側端子）
５９…メス端子（端子）
６１…電線
６３…電線シールド
６９…弾性係止片（ロック係止機構）
７３…鍔部
７５…筒状部
７７…係止孔（ロック係止機構）
【図１】
2015035383.tif 000003
【図２】
2015035383.tif 000004
【図３】
2015035383.tif 000005
【図４】
2015035383.tif 000006
【図５】
2015035383.tif 000007
【図６】
2015035383.tif 000008
【図７】
2015035383.tif 000009
【図８】
2015035383.tif 000010